【手続補正書】
【提出日】平成20年1月10日(2008.1.10)
【手続補正１】
【補正対象書類名】特許請求の範囲
【補正対象項目名】全文
【補正方法】変更
【補正の内容】
【特許請求の範囲】
【請求項１】
パンツのように着用することができる吸収性衛生製品（Ｄ）のファスニング・エレメントであって、
吸収衛生製品（Ｄ）が、ウエストライン、および製品（Ｄ）のウエストラインを再度閉じるために側縁部（Ｂ１、Ｂ２）にて一体に接続することができる端部を有し、
ファスニング・エレメント（１）が、
エレメント（１）が中間面（Ｘ−Ｘ）に関して概して対称である２つのパーツを含み、
当該パーツの各々が、
第１の前記端部に接続することができる（１８）ベースブランチ（１０）および
第２の前記端部に接続することができる（２０）遠位ブランチ（１４）
を含み、前記ベースブランチ（１０）および前記遠位ブランチ（１４）が、エレメント（１）の外側に向かって開く一般的なブック状の形状構成に従って一体に接続され、
前記概して対称であるパーツの前記ベースブランチ（１０）と前記遠位ブランチ（１４）との間の前記ブック状の接続構成の背面部分が、前記中間面（Ｘ−Ｘ）に対して距離をあけて配置され、前記２つの概して対称であるパーツは、前記ベースブランチ（１０）によって一体に接続されて、単一のボディを形成し、当該ボディは前記２つの概して対称であるパーツに分離するために前記中間面（Ｘ−Ｘ）で切断することができ、各パーツは各吸収性衛生製品（Ｄ）の端部の相互に対向する側部を一体に結合することができ、
前記２つのパーツの各々は、前記ベースブランチ（１０）および前記遠位ブランチ（１４）を接続するために延在する、中間ブランチ（１２）を含み、
前記中間ブランチ（１２）は前記ベースブランチ（１０）に対して安定に取り付けられる（１６）
ことを特徴とする、ファスニング・エレメント。
【請求項２】
前記ベースブランチ（１０）と前記遠位ブランチ（１４）とが、単一の層状ボディの異なるパーツを構成することを特徴とする、請求項１に記載のエレメント。
【請求項３】
前記ベースブランチ（１０）、前記中間ブランチ（１２）および前記遠位ブランチ（１４）が単一の層状ボディの異なるパーツを構成することを特徴とする、請求項１または２に記載のエレメント。
【請求項４】
前記層状ボディが不織布から成ることを特徴とする、請求項２または３に記載のエレメント。
【請求項５】
略オメガ形状を有することを特徴とする、請求項１に記載のエレメント。
【請求項６】
前記２つのパーツの遠位ブランチ（１４）を接続するブリッジのごとく延びて、前記エレメント（１）に単一のボディの特性を付与する別のブランチ（２２）を含み、当該別のブリッジ状のエレメント（２２）は前記中間面（Ｘ−Ｘ）で切断することができることを特徴とする、請求項１〜５のいずれか１項に記載のエレメント。
【請求項７】
前記別のブランチ（２２）が安定して遠位ブランチ（１４）に接続されていることを特徴とする、請求項６に記載のエレメント。
【請求項８】
エレメントの前記パーツの前記遠位ブランチ（１４）が、それに結合した、弛めること及び再度留めることの可能なタイプの接続部材（２２）を有していることを特徴とする請求項１〜５のいずれか１項に記載のエレメント。
【請求項９】
弛めること及び再度留めることの可能な前記接続部材（２２）が、複数の異なる位置にて遠位ブランチ（１４）に結合するようになっており、それにより、前記吸収性衛生製品（１）のウエストラインが選択的に調節可能であることを特徴とする、請求項８に記載のエレメント。
【請求項１０】
前記遠位ブランチ（１４）が、弛めること及び再度留めることの可能なタイプの前記接続部材（２２）よりも長く（１４０）、それにより弛めること及び再度留めることの可能なタイプの前記接続部材（２２）が、前記遠位ブランチ（１４）に沿って複数の異なる位置にて前記遠位ブランチ（１４）に結合するようになっていることを特徴とする、請求項９に記載のエレメント。
【請求項１１】
前記弛めること及び再度留めることの可能な接続部材がマイクロフックファスナー（２２）を含むことを特徴とする、請求項８〜１０のいずれか１項に記載のエレメント。
【請求項１２】
前記マイクロフックファスナーが、フック（２２）を有する１つのエレメントおよび前記フックに係合できるループを有する１つのエレメントを含み、当該ループを有するエレメントが前記遠位ブランチ（１４）に結合していることを特徴とする、請求項１１に記載のエレメント。
【請求項１３】
前記遠位ブランチ（１４）が、前記マイクロフックファスナー（２２）のフックに選択的に係合し得るループを含むループ構造を備えた材料により構成されていることを特徴とする請求項１１に記載のエレメント。
【請求項１４】
前記マイクロフックファスナーが、フック（２２）を有する１つのエレメントおよび前記フックが係合できるループを有する１つのエレメントを含み、前記フック（１４’）を有するエレメントが前記遠位ブランチに結合していることを特徴とする、請求項１１に記載のエレメント。
【請求項１５】
フック（１４’）を有する前記エレメントが、接着剤により前記遠位ブランチ（１４）に結合していることを特徴とする、請求項１４に記載のエレメント。
【請求項１６】
側部に配置された閉じたフラップを有する製品を得るために、前記中間面（Ｘ−Ｘ）において、相互に対向する側縁部（Ｂ１、Ｂ２）の間で作用することができる接続構造を含むことを特徴とする、請求項１〜１５のいずれか１項に記載のエレメント。
【請求項１７】
前記接続構造が弛めること及び再度留めることの可能なタイプのものであることを特徴とする請求項１６に記載のエレメント。
【請求項１８】
前記接続構造が、
接着剤層（２５、２６）および
マイクロフックファスニング・システム構造
から成る群において選択されることを特徴とする、請求項１６に記載のエレメント。
【請求項１９】
請求項１〜１８のいずれか１項に記載のファスニング・エレメントを製造する方法であって、
ストリップ状のボディ（１２０）を供給する操作；
略Ｃ字形状に従って、前記ストリップ状のボディ（１２０）を、前記Ｃ字形状の端部が前記２つの概して対称であるエレメントのパーツの遠位ブランチ（１４）を構成し、前記Ｃ字形状の中央部分が少なくとも部分的に前記ベースブランチ（１０）を規定するように、形成する操作
を含むことを特徴とする方法。
【請求項２０】
略Ｃ字形状に従って形成された前記ストリップ状のボディ（１２０）を、先のものと反対側に凹部を有するＣ字形状に曲げる別の（１２６）操作に付して、ファスニング・エレメントの前記２つのパーツの各々において、前記ベースブランチ（１０）と前記遠位ブランチ（１４）とを接続し、エレメントに全体としてオメガ形状を付与する中間ブランチ（１２）を形成する操作を含み、前記中間ブランチ（１２）を前記ベースブランチ（１０）に対して安定に取り付ける（１６）操作にさらに付すことを特徴とする、請求項１９に記載の方法。
【請求項２１】
前記Ｃ字形状に折り曲げる別の操作（１２６）を実施するために、前記遠位ブランチ（１４）を一時的に前記ストリップ状のボディ（１２０）の残部に固定することを目的とする、仮のシール構造（２３）の取り付け（１２４）の操作を含むことを特徴とする、請求項２０に記載の方法。
【請求項２２】
前記仮のシール（２３）が製品を使用している間に取り除くことができる非永久的な接続により得られることを特徴とする、請求項２１に記載の方法。
【請求項２３】
前記中間ブランチ（１２）を前記ベースブランチに対して安定に取り付ける前記操作が、前記Ｃ字形状に折り曲げる別の操作（１２６）で得られるストリップ状のボディ（１２０）の領域にて、好ましくは接着剤タイプ（１６）の接続を形成する工程を含むことを特徴とする、請求項２０に記載の方法。
【請求項２４】
前記２つのパーツの遠位ブランチ（１４）を接続するブリッジのごとく延びる別のブランチ（２２）を取り付ける操作を含み、当該別のブリッジ状のエレメント（２２）が前記中間面（Ｘ−Ｘ）で切断されることを可能にすることを特徴とする、請求項１９〜２３のいずれか１項に記載の方法。
【請求項２５】
前記遠位ブランチ（１４）に、弛めること及び再度留めることの可能なタイプの接続部材（２２）を結合させる操作を含むことを特徴とする、請求項１９〜２４のいずれか１項に記載の方法。
【請求項２６】
前記遠位ブランチ（１４）に、前記遠位ブランチ（１４）に複数の異なる位置にて結合させられるようになっている弛めること及び再度留めることの可能なタイプの接続部材（２２）を結合させる操作を含み、それにより、前記吸収性衛生製品（１）のウエストラインの長さが選択的に調節可能であることを特徴とする、請求項２５に記載の方法。
【請求項２７】
前記遠位ブランチ（１４）を、弛めること及び再度留めることの可能なタイプの前記接続部材（２２）よりも長くする（１４０）工程を含み、それにより、弛めること及び再度留めることの可能なタイプの前記接続部材（２２）が、前記遠位ブランチ（１４）に沿って複数の異なる位置にて前記遠位ブランチ（１４）に結合させられるようになっていることを特徴とする、請求項２６に記載の方法。
【請求項２８】
前記遠位ブランチ（１４）に、前記接続部材として、マイクロフックファスナー（２２）を結合させる操作を含むことを特徴とする、請求項２５〜２７のいずれか１項に記載の方法。
【請求項２９】
弛めること及び再度留めることの可能な前記接続部材（２２）を、エレメント（１）のパーツの前記遠位ブランチ（１４）に結合させる操作を含むことを特徴とする、請求項２５〜２８のいずれか１項に記載の方法。
【請求項３０】
前記マイクロフックファスナーに、フック（２２）を備えたエレメントおよび前記フックと係合できるループ（１４）を備えたエレメントを含める工程、および前記遠位ブランチ（１４）にループを有する前記エレメントを結合させる工程を含むことを特徴とする、請求項２８に記載の方法。
【請求項３１】
前記遠位ブランチ（１４）を、ループ構造を有する材料で形成する工程を含み、当該ループが前記マイクロフックファスナー（２２）のフックが選択的に係合し得るループを構成することを特徴とする、請求項２８に記載の方法。
【請求項３２】
弛めること及び再度留めることの可能なタイプの各接続部材（１２８ａ、１２８ｂ）を、エレメント（１）のパーツの前記遠位ブランチ（１４）の一方および他方に結合させる操作を含むことを特徴とする、請求項２５〜３１のいずれか１項に記載の方法。
【請求項３３】
ストリップ状のエレメントのセグメント化（１３２）によって、前記ファスニング・エレメント１を形成する操作を含むことを特徴とする、請求項１９〜３２のいずれか１項に記載の方法。
【請求項３４】
前記ファスニング・エレメント（１）を、主にファスニング・エレメント（１）の中央部に対応するエリアに圧力を加えることによって、プレスする（１３４’）操作を含むことを特徴とする、請求項１９〜３３のいずれか１項に記載の方法。
【請求項３５】
対応する衛生製品（Ｄ）に取り付ける前に、前記２つのパーツに分離するために、前記ファスニング・エレメント（１）を前記中間面（Ｘ−Ｘ）で切断する（１３５）操作を含むことを特徴とする、請求項１９〜３４のいずれか１項に記載の方法。
【請求項３６】
対向する端部を含む、パンツ（Ｄ）状に着用することができる吸収性衛生製品（Ｄ）であって、前記端部が衛生製品のウエストラインを規定するために同種の側部に選択的に接続され得る衛生製品を形成する方法であって、
前記衛生製品の半完成のピース（Ｄ’）のチェーンであって、チェーンにおける隣接する半完成のピースが互いに前記端部にて接続されて、チェーンにおいて連続する半完成のピース（Ｄ’）の間で接続領域を形成している、チェーンを形成する操作、
請求項１〜１８のいずれか１項に記載のファスニング・エレメントを前記接続領域で取り付ける操作；
前記ファスニング・エレメントの前記パーツが、各吸収性衛生製品（Ｄ）の端部の対向する側部を一体に接続して、側部に設けられるフラップのファスニングを確保するように、衛生製品の半完成のピースのチェーンを前記接続領域でセグメント化する（１０２）操作
を含む方法。
【請求項３７】
前記遠位ブランチ（１４）にマイクロフックファスナー（２２）を結合させる操作、
前記衛生製品（Ｄ）の前記端部の前記対向する側部に、前記マイクロフックファスナー（２２）が弛めること及び再度留めることができる関係で係合するようになっている表面（１０００）を設け、それにより、複数の異なる位置にて、前記マイクロフックファスナー（２２）が同種の端部の対向している側部に結合して、前記吸収性衛生製品（１）のウエストラインの長さが選択的に調整されるようにする操作
を含むことを特徴とする請求項３６に記載の方法。
【請求項３８】
前記衛生製品（Ｄ）の前記端部の前記対向している側部に、マイクロフックファスナー（２２）が係合されるようになっているループを有するエレメント（１０００）を取り付ける工程を含むことを特徴とする、請求項３７に記載の方法。
【請求項３９】
前記衛生製品（Ｄ）の前記端部の対向している側部を、ループ構造を有する材料で形成する工程を含み、前記ループ構造の前記ループが前記マイクロフックファスナー（２２）のフックが選択的に係合することができるループを構成していることを特徴とする、請求項３７に記載の方法。
【請求項４０】
衛生製品の前記半完成のピースを略Ｖ字形状構成に折り畳み（１００）、前記半完成のピース（Ｄ’）の端部を前記ファスニング・エレメント（１）を介在させて互いに向かい合う位置にもっていく操作を含むことを特徴とする、請求項３６に記載の方法。
【請求項４１】
前記折り畳み操作の後に、前記製品（Ｄ）の端部を、前記端部の間に前記ファスニング・エレメント（１）が配置された状態にて、互いに対してプレスする操作を含むことを特徴とする請求項４０に記載の方法。
【請求項４２】
前記プレスする操作が、製品の側部に設けられたフラップのファスニングを確保するために、主にファスニング・エレメント（１）の中央部に対応するエリアに圧力を加えることにより実施されることを特徴とする、請求項４１に記載の方法。
【請求項４３】
前記接続領域が衛生製品の半完成のピースのチェーンが延びる主方向に対して横方向に延びる中心線（Ｘ−Ｘ）を有するように、隣接する半完成のピースがチェーンにおいて、前記端部の側縁部にて互いに対して接続されている、前記衛生製品の半完成のピース（Ｄ’）の前記チェーンを形成する操作、
前記ファスニング・エレメントの中間線（Ｘ−Ｘ）が前記接続領域の前記中心線で一致するように、前記ファスニング・エレメント（１）を前記接続領域に取り付ける操作、および
前記接続領域の前記中心線にて、衛生製品の半完成のピースのチェーンをセグメント化して（１０２）、前記ファスニング・エレメントを前記中間面（Ｘ−Ｘ）で切断させて、前記中間面（Ｘ−Ｘ）における切断が前記２つの概して対称であるパーツに分離し、前記パーツを前記対向する側部の一方および他方に取り付け、それにより前記パーツが各吸収性衛生製品（Ｄ）の端部の対向する側部を一体に接続して、側部に配置されたフラップのファスニングを確保する操作
を含むことを特徴とする、請求項３６〜４２のいずれか１項に記載の方法。
【請求項４４】
半完成のピースの前記チェーンに前記ファスニング・エレメント（１）を前記チェーンの側縁（Ｆ１、Ｆ２）の一方（Ｆ１）の付近に取り付ける操作、
前記折り畳み（１００）の操作に付随して又はその後に、前記ファスニング・エレメント（１）を前記半完成のピースの前記チェーンの反対側のマージン（Ｆ２）に接続する操作
を含むことを特徴とする、請求項４０または４３に記載の方法。
【請求項４５】
前記衛生製品の半完成のピース（Ｄ’）の前記チェーンであって、チェーンにて隣接する半完成のピースが前記端部にて互いに接続されており、前記端部が衛生製品の半完成のピースのチェーンが延びる主方向において整列させられており、対向する長さ方向の側部（Ｆ１、Ｆ２）を有するチェーンを形成する操作、
２つのパーツに分離するために、前記ファスニング・エレメント（１）を前記中間面（Ｘ−Ｘ）で切断する（１３５）操作、
ファスニング・エレメント（１）の前記パーツを前記チェーンの前記対向する長さ方向の側部の一方（Ｆ１）および他方（Ｆ２）に取り付ける操作、および
衛生製品の半完成のピースのチェーンを、前記端部にて互いに接続されている前記半完成のピース（Ｄ’）を分離することにより、セグメント化する（Ｔ）操作
を含むことを特徴とする、請求項３６〜４２のいずれか１項に記載の方法。
【請求項４６】
ストリップ状のエレメントのセグメント化（１３７）により前記ファスニング・エレメント（１）を得る操作、
セグメントの形態のファスニング・エレメント（１）の前記パーツを、前記チェーンの前記対向する長さ方向の側部の一方（Ｆ１）および他方（Ｆ２）にて取り付け、各々を前記チェーンに含まれる各半完成のピース（Ｄ’）の一方の端部に結合させる操作
を含むことを特徴とする、請求項４５に記載の方法。
【請求項４７】
前記ファスニング・エレメント（１）をストリップ状エレメントのセグメント化（１３７）により形成する操作、
ファスニング・エレメント（１）の前記パーツを、前記チェーンの前記対向する長さ方向の側部の一方（Ｆ１）および他方（Ｆ２）にセグメントの形態で取り付け、各々を前記チェーンに含まれる２つの半完成のピース（Ｄ’）の端部に結合させる操作、
衛生製品の半完成のピースのチェーンを前記端部にて互いに結合された半完成のピース（Ｄ’）を分離することによりセグメント化する（Ｔ）操作を含み、
前記セグメント化する操作が、前記セグメントを２つの部分に分割し、各々を各製品（Ｄ）の一方の端部に結合させる
ことを特徴とする、請求項４５に記載の方法。
【請求項４８】
パンツのように着用することができる吸収性衛生製品（Ｄ）を製造する方法であって、請求項３６〜４７のいずれか１項に記載の操作を、単一のプロセスのシーケンスにおいて、請求項１９〜３５のいずれか１項に記載の操作の後に実施することを特徴とする、方法。
【請求項４９】
パンツのように着用することができる吸収性衛生製品であって、２つの端部を含み、
当該２つの端部は、製品の対向する側部にて、衛生製品のウエストラインを規定するために一体に接続することができる同種の対向する側縁部の組を含み、
前記対向する縁部が、請求項１〜１８のいずれかに記載の少なくとも１つのファスニング・エレメントの前記２つの概して対称であるパーツの一方のベースブランチ（１０）および遠位ブランチ（１４）により製品（Ｄ）の前記各側部にて一体に接続されている、
吸収性衛生製品。
【請求項５０】
一体に接続することができる前記同種の対向する側縁部の各組において、
一方の対向する縁部にて前記遠位ブランチ（１４）がマイクロフックファスナー（２２）に係合しており、
他方の対向する縁部が、弛めること及び再度留めることの可能な関係で前記マイクロフックファスナー（２２）と係合するようになっている表面（１０００）を有し、それにより前記マイクロフックファスナー（２２）が、複数の異なる位置にて、前記吸収性衛生製品（１）のウエストラインの長さを選択的に調節するために同種の端部の対向する側部に結合するようになっていることを特徴とする請求項４９に記載の製品。
【請求項５１】
前記他方の対向する縁部が、前記マイクロフックファスナー（２２）が係合するようになっていることを特徴とする、ループ（１０００）を備えたエレメントを有していることを特徴とする、請求項５０に記載の製品。
【請求項５２】
前記他方の対向する縁部が、ループ構造を有する材料から成り、前記構造のループが前記マイクロフックファスナー（２２）のフックと選択的に係合し得るループを構成していることを特徴とする、請求項５０に記載の製品。
【手続補正２】
【補正対象書類名】明細書
【補正対象項目名】００４８
【補正方法】変更
【補正の内容】
【００４８】
図１９および２０において最も右側の遠い部分で見られる後の製品Ｄに正確に注意を払うと、製品のウエストラインのファスニングがどのようにして端部Ｂ１にてエレメント１の第１の半体により確保され、ステーション１０２で先に切断された別のエレメントの第２の半体によって端部Ｂ２にて確保されているかを理解できる。
【手続補正３】
【補正対象書類名】明細書
【補正対象項目名】００４９
【補正方法】変更
【補正の内容】
【００４９】
同様にして、すぐ後に続く製品Ｄ（即ち、図１９および２０において、まだ切断ユニット１０２の動作を受けているものとして表されているもの）において、ウエストラインのファスニング（または留め）が端部Ｂ２にて、エレメント１（このエレメントの第１半体はさらに下流側の製品Ｄを端部Ｂ１にて閉じるものである）の第２半体により確保され、端部Ｂ１にて（実際には図面では、カッティングユニット１０２により隠されている限りにおいて見えない）、カッティングユニット１０２の動作に付されている別のエレメント１の第１半体により確保される。
【手続補正４】
【補正対象書類名】明細書
【補正対象項目名】００５７
【補正方法】変更
【補正の内容】
【００５７】
実際には、エレメント１は：
−仮想的な線Ｘ−Ｘ（エレメント１はその後、先に説明したカッティングステーションまたはカッティングユニット１０２にて、分離操作の間に、この線に沿って切断される）に関して、概ね対称に延びるベースブランチ１０、
−それぞれが、ベース層上で折りたたまれて、線Ｘ−Ｘに向かって（ファスニング・エレメント１を面Ｘ−Ｘに沿って２つの半体に分割するときに、切断に望ましくない影響を与えることを防止するために、それに達することなく）戻っている２つの中間ブランチ１２、および
−中間ストレッチ（または中間区間）１２上で再びターンしていて、端部境界がベースブランチ１０の外側境界、および中間ストレッチ１２をベースブランチ１０の境界と接続するループまたはエルボの外側境界にほぼ位置するように延びている、２つの遠位（または末端）ストレッチ１４
を含む。
【手続補正５】
【補正対象書類名】明細書
【補正対象項目名】００６８
【補正方法】変更
【補正の内容】
【００６８】
エレメントの取り付けは、通常、２つの衛生製品Ｄの同種の（または一致する）横方向の端部の対向する境界への接続要素の固定を目的として、一般に衛生製品の分野で採用されている接着剤から成る２つの層を使用し、優先的には接着剤の第３の層を塗布して、オムツの側部に設けられるフラップを固定することを伴う。
【手続補正６】
【補正対象書類名】明細書
【補正対象項目名】００７０
【補正方法】変更
【補正の内容】
【００７０】
例えば、接着剤は、最初の２つの層については、ホットメルトタイプであってよく、第３の層については、エバーグリーンタイプであってよい。
【手続補正７】
【補正対象書類名】明細書
【補正対象項目名】０１０５
【補正方法】変更
【補正の内容】
【０１０５】
図１３〜１５に示す形態において、遠位ブランチ１４とブランチ２２の結合の構造は、先の場合と反対である。この場合においては、ブランチ２２はマイクロフックのファスニング構造のフック構造を有する代わりに、ループを有するパーツを有し（即ち、組み込んでおり）、フックは接着剤１４”の層によりオメガ形状のベース構造の遠位ブランチ１４に取り付けられたエレメント１４’により担持されている。
【手続補正８】
【補正対象書類名】明細書
【補正対象項目名】０１２０
【補正方法】変更
【補正の内容】
【０１２０】
図１９において、参照符号１１４は接着剤を間欠的に塗布するためのステーションを示す。ステーション１１４は、半完成のピースＤ’のチェーン上にて、ファスニング・エレメント１を配置することが望まれる位置に対応して、予め決められた位置に一定の間隔をあけて正確に、実際には図７〜１２において符号２０で示される接着剤の層を形成する接着剤の輪を塗布するように設計される。
【手続補正９】
【補正対象書類名】明細書
【補正対象項目名】０１４４
【補正方法】変更
【補正の内容】
【０１４４】
上述した特徴を有し、ローラタイプの接続ステーション１３０から出て行くストリップと半完成のピースＤ’のチェーンとの間で進行速度に相当な違いがあることを同様に許容し得る、セグメント化および回転のためのステーションは、当該分野において周知であり、例えば、文献ＥＰ−Ａ−０９４３３９５または文献ＥＰ−Ａ−０９９７１２３により示されている。ステーション１３２のより詳細な説明がなされている、当該文献はともに、本出願人の名義で出願されている。
【手続補正１０】
【補正対象書類名】明細書
【補正対象項目名】０１４９
【補正方法】変更
【補正の内容】
【０１４９】
別のものよりもむしろ１つの特定の解決手段を選択することは、特定の取り付け条件により明白に要求される。（１つまたは両方の側部で）プレ接着剤コーティングに頼ることは、取り付けステーション１３２と半完成のピースＤ’の進行の動きとの間の同調がより重要でないようにするという疑う余地のない利点を有する。プレ接着剤コーティングの場合には、接着剤の対応する輪において真ん中に各エレメントを正確に配置させるというレベルの正確さを確保する必要がないという事実から見て、エレメント１の位置合わせが大まかになりすぎることを防止するための同調であれば十分であることは明らかである。
【手続補正１１】
【補正対象書類名】明細書
【補正対象項目名】０１６６
【補正方法】変更
【補正の内容】
【０１６６】
ここから、図２１および２２で示す解決手段において、上述のストリップ状のエレメントは、ステーション１３４’に入る。ステーション１３４’は、基本的に図１９および２０のステーション１３４に類似する機能を有する、即ち、ストリップ状のエレメントを面Ｘ−Ｘにて中央でプレスして、それに図２、５、８、１１、１４、および１７において見られるであろう一般的な砂時計パターンを付与する機能を有する。当然のことながら、図１９および２０のステーション１３４はそれ自体、半完成のピースＤ’のチェーン（これの上に、エレメント１はステーション１３２にて９０度だけ回転させられた後、取り付けられる）の進行方向に対して横方向で動作することが認められるが、図２１および２２のステーション１３４’は、長さ方向で動作し、有用には、２つのリブを有する逆回転するホイールまたはローラから成り、これは、当該ホイールまたはローラにより規定されるスペースまたはギャップにて進行するストリップ状のエレメントに砂時計形状のパターンを付与する。
【手続補正１２】
【補正対象書類名】明細書
【補正対象項目名】０１７７
【補正方法】変更
【補正の内容】
【０１７７】
この場合において、チェーン（Ｆ１またはＦ２）の各側部にて、互いに対して縦に接続されている２つのパーツから成る全体（または組み合わせ）が一つおきに取り付けられ、その各々が、切断が線Ｔに沿って実施された後に、個々の製品Ｄの前端部および後端部に取り付けられるファスニング・エレメントを構成する。この場合において、エレメント１の取り付け手順は、製品Ｄに関して、異なり、また一つおきにされる。即ち、１つの製品Ｄは、前端部に取り付けられたエレメント１とともに現れ、次の１つの製品は後端部に取り付けられたファスニング・エレメント１を有するであろう。
【手続補正１３】
【補正対象書類名】明細書
【補正対象項目名】０１７８
【補正方法】変更
【補正の内容】
【０１７８】
当然のことながら、ステーション１３７から出てくる、２倍の長さのピースを、１回は側部Ｆ１、１回は側部Ｆ２にて、個々の製品Ｄの長さに等しい交互のピッチで取り付けることによって、図２２に示された基準（または要領）を改変することはまた可能である。